(57)【要約】      （修正有）【課題】  電子機器の筐体に一定の角度を持たせて構成部品を取り付ける場合に、構成部品の取り付けを円滑に行うことができ、電子機器の筐体に安定した状態で固定することができるようにする。【解決手段】  固定式アンテナ１１は、ネジ穴８の周辺部分に取付部１９の主軸方向に対して斜めになるように屈曲された形状をもつ傾斜形状部１２を有する。固定式アンテナ１１は、リアケース１３のアンテナ挿入穴７に挿入され、ネジボス９近傍にネジ穴８が位置決めされた状態で固定される。すると、ネジ穴面とネジボス面とがほぼ平行な状態で接触し、ネジ穴面とネジボス面との間に隙間が生じなくなる。【選択図】  図６
2006109204.tif 000002
【特許請求の範囲】
【請求項１】
電子機器の筐体に取り付けられる構成部品であって、
前記筐体内部に形成されている被取付部に取り付けられる柄状の取付部を有し、
前記取付部は、前記被取付部における被接触面近傍に前記取付部における接触面が位置決めされた状態で、前記被取付部の形状に対応して形成されている取付部品によって取り付けられ、
前記取付部は、前記位置決めされたときに、前記被取付部の被接触面に対して平行でない向きとなる第１軸部と、前記被取付部の被接触面と略平行となる向きとなる第２軸部とを含み、
前記接触面が前記第２軸部に形成される
ことを特徴とする電子機器の構成部品。
【請求項２】
電子機器の筐体に取り付けられる構成部品であって、
柄状の取付部を有し、
前記取付部は、当該構成部品の主要部につながる第１軸部と、前記第１軸部につながる第２軸部とを含み、
前記第２軸部の長手方向が前記第１軸部の長手方向に対して平行でない向きとなる
ことを特徴とする電子機器の構成部品。
【請求項３】
取付部における第２軸部の端部に、丸み形状をなす被誘導部が形成され、
筐体に取り付けられる際に、筐体内部に形成されている誘導部に前記被誘導部が摺接することによって前記取付部が誘導され、前記筐体内部に形成されている被取付部における被接触面近傍に前記取付部における接触面が位置決めされる
請求項１または請求項２記載の電子機器の構成部品。
【請求項４】
電波の送受信を行う放射部と取付部とを備えるアンテナとして構成され、
前記取付部は、筐体に取り付けられたときに筐体内に配設された基板に設けられている信号伝達部品に接触する信号伝達部を含む
請求項１から請求項３のうちいずれかに記載の電子機器の構成部品。
【請求項５】
取付部は、金属材料によって一体形成される請求項１から請求項３のうちいずれかに記載の電子機器の構成部品。
【請求項６】
柄状の取付部を有する構成部品を電子機器の筐体内部に形成されている被取付部に取り付ける構成部品の取付構造であって、
前記被取付部における被接触面近傍に前記取付部における接触面が位置決めされた状態で、前記被取付部の形状に対応して形成されている取付部品によって、前記取付部が前記被取付部に取り付けられ、
前記取付部は、前記位置決めされたときに、前記被取付部の被接触面に対して平行でない向きとなる第１軸部と、前記被取付部の被接触面と略平行となる向きとなる第２軸部とを含み、
前記接触面が前記第２軸部に形成される
ことを特徴とする構成部品の取付構造。
【請求項７】
筐体内部に誘導部が形成され、
取付部における第２軸部の端部に、丸み形状をなす被誘導部が形成され、
筐体に取り付けられる際に、前記誘導部に前記被誘導部が摺接することによって前記取付部が誘導され、前記筐体内部に形成されている被取付部における被接触面近傍に前記取付部における接触面が位置決めされる
請求項６記載の構成部品の取付構造。
【請求項８】
筐体内部に、丸み形状をなす誘導部が形成され、
取付部における第２軸部の端部に被誘導部が形成され、
筐体に取り付けられる際に、前記誘導部に前記被誘導部が摺接することによって前記取付部が誘導され、前記筐体内部に形成されている被取付部における被接触面近傍に前記取付部における接触面が位置決めされる
請求項６記載の構成部品の取付構造。
【請求項９】
筐体内部に形成される誘導部は、半径０．５ミリメートル乃至１．０ミリメートルの範囲内の丸み形状をなす請求項８記載の構成部品の取付構造。
【請求項１０】
取付部は、取付部品に加えて、当該取付部を筐体内に挿入する際の挿入方向に対する位置ずれを防止するための固定部品によって、被取付部に取り付けられ、
前記固定部品は、前記挿入方向に対して斜めに取り付けられた柄部を有する
請求項６から請求項９のうちいずれかに記載の構成部品の取付構造。
【請求項１１】
被取付部が形成されている筐体面が当該被取付部の被接触面に対して平行でない向きとなるように、筐体が形成されている請求項６から請求項１０のうちのいずれかに記載の構成部品の取付構造。
【請求項１２】
構成部品は、電波の送受信を行う放射部と取付部とを備えるアンテナとして構成され、
前記取付部は、筐体に取り付けられたときに筐体内に配設された基板に設けられている信号伝達部品に接触する信号伝達部を含む
請求項６から請求項１１のうちいずれかに記載の構成部品の取付構造。
【請求項１３】
電子機器は、携帯電話機である請求項６から請求項１２のうちいずれかに記載の構成部品の取付構造。
【請求項１４】
筐体に取り付けられる構成部品を含む電子機器であって、
前記構成部品は、
前記電子機器の筐体内部に形成されている被取付部に取り付けられる柄状の取付部を有し、
前記取付部は、前記被取付部における被接触面近傍に前記取付部における接触面が位置決めされた状態で、前記被取付部の形状に対応して形成されている取付部品によって取り付けられ、
前記取付部は、前記位置決めされたときに、前記被取付部の被接触面に対して平行でない向きとなる第１軸部と、前記被取付部の被接触面と略平行となる向きとなる第２軸部とを含み、
前記接触面が前記第２軸部に形成される
ことを特徴とする電子機器。
【請求項１５】
筐体内部に誘導部が形成され、
取付部における第２軸部の端部に、丸み形状をなす被誘導部が形成され、
筐体に取り付けられる際に、前記誘導部に前記被誘導部が摺接することによって前記取付部が誘導され、前記筐体内部に形成されている被取付部における被接触面近傍に前記取付部における接触面が位置決めされる
請求項１４記載の電子機器。
【請求項１６】
筐体内部に、丸み形状をなす誘導部が形成され、
取付部における第２軸部の端部に被誘導部が形成され、
筐体に取り付けられる際に、前記誘導部に前記被誘導部が摺接することによって前記取付部が誘導され、前記筐体内部に形成されている被取付部における被接触面近傍に前記取付部における接触面が位置決めされる
請求項１４記載の電子機器。
【請求項１７】
筐体内部に形成される誘導部は、半径０．５ミリメートル乃至１．０ミリメートルの範囲内の丸み形状をなす請求項１６記載の電子機器。
【請求項１８】
取付部は、取付部品に加えて、当該取付部を筐体内に挿入する際の挿入方向に対する位置ずれを防止するための固定部品によって、被取付部に取り付けられ、
前記固定部品は、前記挿入方向に対して斜めに取り付けられた柄部を有する
請求項１４から請求項１７のうちいずれかに記載の電子機器。
【請求項１９】
被取付部が形成されている筐体面が当該被取付部の被接触面に対して平行でない向きとなるように、筐体が形成されている請求項１４から請求項１８のうちのいずれかに記載の電子機器。
【請求項２０】
構成部品は、電波の送受信を行う放射部と取付部とを備えるアンテナとして構成され、
前記取付部は、筐体に取り付けられたときに筐体内に配設された基板に設けられている信号伝達部品に接触する信号伝達部を含む
請求項１４から請求項１９のうちいずれかに記載の電子機器。
【請求項２１】
筐体に取り付けられる構成部品を含む携帯電話機である請求項１４から請求項２０のうちいずれかに記載の電子機器。
【請求項２２】
柄状の取付部を有する構成部品を電子機器の筐体内部に形成されている被取付部に取り付ける構成部品の取付方法であって、
前記被取付部の被接触面に対して平行でない向きとなる第１軸部と、前記被取付部の被接触面と略平行となる向きとなる第２軸部とを含む、前記取付部における接触面が前記第２軸部に形成されるように、前記被取付部における被接触面近傍に前記取付部における接触面を位置決めし、
前記位置決めした状態で、前記被取付部の形状に対応して形成されている取付部品によって、前記取付部を前記被取付部に取り付ける
ことを特徴とする構成部品の取付方法。
【請求項２３】
筐体内部に誘導部を形成し、
取付部における第２軸部の端部に、丸み形状をなす被誘導部を形成し、
筐体に取り付ける際に、前記誘導部に前記被誘導部を摺接することによって前記取付部を誘導し、前記筐体内部に形成されている被取付部における被接触面近傍に前記取付部における接触面を位置決めする
請求項２２記載の構成部品の取付方法。
【請求項２４】
筐体内部に、丸み形状をなす誘導部を形成し、
取付部における第２軸部の端部に被誘導部を形成し、
筐体に取り付ける際に、前記誘導部に前記被誘導部を摺接することによって前記取付部を誘導し、前記筐体内部に形成されている被取付部における被接触面近傍に前記取付部における接触面を位置決めする
請求項２２記載の構成部品の取付方法。
【請求項２５】
取付部品に加えて、取付部を筐体内に挿入する際の挿入方向に対して斜めに取り付けられた柄部を有する、前記挿入方向に対する位置ずれを防止するための固定部品によって、前記取付部を被取付部に取り付ける請求項２２から請求項２４のうちのいずれか１項に記載の構成部品の取付方法。
【発明の詳細な説明】
【技術分野】
【０００１】
本発明は、電子機器の筐体に斜めに取り付けられる構成部品、構成部品の取付構造、構成部品の取付構造を備えた電子機器、及び構成部品の取付方法に関する。
【背景技術】
【０００２】
一般に、電子機器には、その電子機器が有する機能に応じて、様々な構成部品が取り付けられている。例えば、携帯電話機などの無線通信機能を有する電子機器には、無線信号の送受信を行うためのアンテナが備えられている。図１１は、電子機器の筐体に固定式アンテナ１を取り付けるアンテナ取付構造を説明するための説明図である。
【０００３】
図１１に示すように、携帯電話機などの電子機器では、リアケース２のアンテナ挿入穴３に固定式アンテナ１が挿入され、ネジ４を用いてネジ締めされることによって、固定式アンテナ１とリアケース２とが固定されている。この場合、リアケース２のネジボス９近傍に固定式アンテナ１のネジ穴８が位置決めされた状態で、ネジ４を用いてネジ締めされることによって、固定式アンテナ１とリアケース２とが固定される。
【０００４】
一般に、携帯電話機など電子機器のリアケース２には、アンテナや回路基板、フロントケースなどを取り付けるために複数のネジボスが備えられる。一般に、リアケース２に含まれる各ネジボスは、取付作業の際の作業効率を考慮して、ネジ締めする向き（図１１に示すＡ方向）が同じ向きになるように形成されている。すなわち、電子機器の組み立ての際に行われるネジ締めの方向をすべてのネジについて同一にすることで、作業者がネジ締め方向を確認する手間を省き、かつ、誤った方向にネジが挿入されることによるネジボス部分などの破損が発生することをを防止するようにしている。
【０００５】
以下、図１１に示す断面内において、リアケース２の各ネジボスの向きに対して垂直となる方向（図１１に示すＢ方向）を、リアケースの軸方向という。
【０００６】
図１１に示す例では、固定式アンテナ１がアンテナ挿入穴３に挿入される際に、固定式アンテナ１がリアケース２に対してストレート方向（リアケース２の軸方向）に挿入され固定される。そのようなアンテナ取付構造によって、固定式アンテナ１が電子機器の筐体に取り付けられる。
【０００７】
また、携帯電話機などの電子機器では、人体の側頭部などで電波が吸収されることによりアンテナの利得が低下することを防止するために、アンテナを人体から遠ざけるように取り付けることが好ましい。
【０００８】
例えば、特許文献１には、通話時にアンテナを携帯電話機の筐体内から引き出して使用する可動式のアンテナを備えた携帯電話機が記載されている。特許文献１に記載された携帯電話機は、可動式のアンテナを、携帯電話機の筐体面に対して斜めになるように収納している。そして、通話時に可動式アンテナを筐体から斜め方向に引き出すことによって、可動式アンテナが人体から遠ざかるようにすることができる。
【０００９】
【特許文献１】特開平６−１８８９５９号公報（段落００１２−００１４、図１）
【発明の開示】
【発明が解決しようとする課題】
【００１０】
特許文献１に記載された携帯電話機では、可動式アンテナを筐体に対して斜めに取り付けることによって、通話時にアンテナを人体から遠ざけることができる。また、携帯電話機などの電子機器において、可動式アンテナではなく固定式のアンテナを用いる場合にも、アンテナを人体から遠ざけるために、固定式アンテナを斜めに取り付けることが考えられる。この場合、電子機器に斜めにアンテナを取り付けられるようにするために、電子機器のリアケースのアンテナ挿入穴への挿入方向が、リアケースの軸方向に対して一定の角度をもつようにしなければならない。しかし、リアケースのアンテナ挿入穴に一定の角度を付けた構造とした場合、固定式アンテナのネジ穴面とリアケースのネジボス面との間に隙間が生じ、安定した状態で固定することができないなどの不具合が発生してしまうことが想定される。
【００１１】
図１２及び図１３は、アンテナ挿入穴７に一定の角度６が付けられているリアケース５によって筐体が構成されている電子機器において、その筐体に固定式アンテナ１を取り付けるアンテナ取付構造を説明するための説明図である。図１２は、リアケース５のアンテナ挿入穴７に、固定式アンテナ１を挿入する直前の状態を示した説明図である。また、図１３は、リアケース５のアンテナ挿入穴７に、固定式アンテナ１を挿入した後の状態を示した説明図である。
【００１２】
図１２に示す例では、リアケース５のアンテナ挿入穴７の挿入方向がリアケース５の軸方向（図１２に示すＢ方向）に対して角度６をもつように、アンテナ挿入穴７に一定の角度がつけられている。リアケース５のアンテナ挿入穴７に一定の角度６が付けられていると、図１２に示すように、固定式アンテナ１の挿入方向が、アンテナ挿入穴７の角度６に従って斜め方向となる。
【００１３】
図１２に示すように斜め方向に挿入した状態で固定式アンテナ１とリアケース５とのネジ締めを行なおうとすると、図１３に示すように、固定式アンテナ１のネジ穴８を含むネジ穴面（接触面）と、リアケース５のネジボス９を含むネジボス面（被接触面）との間に隙間１０が生じる場合がある。そのような隙間１０が生じると、固定式アンテナ１を取り付けるためのネジ締め作業を円滑に行うことができなくなり、リアケース５に固定式アンテナ１を固定する際の作業効率が低下する。
【００１４】
また、固定式アンテナ１のネジ穴面とリアケース５のネジボス面との間に隙間１０があると、ネジ４が外れやすくなり、固定式アンテナ１をリアケース５に安定した状態で固定することができない。また、固定式アンテナ１がリアケース５に安定した状態で固定されていないと、固定式アンテナ１と電子機器内部の回路基板との接触圧が不安定となる。
【００１５】
図１４は、固定式アンテナ１と回路基板１７との接触状態を説明するための説明図である。図１４に示すように、固定式アンテナ１は、回路基板１７に設けられた信号伝達部品１８を介して回路基板１７と接触する。ネジ穴面とネジボス面との間に隙間１０があり、固定式アンテナ１がリアケース５に完全に固定されていないと、固定式アンテナ１と回路基板１７の信号伝達部品１８との接触圧が不安定となる。
【００１６】
そこで、本発明は、上記課題を解決するためになされたものであって、電子機器の筐体に一定の角度を持たせて構成部品を取り付ける場合に、構成部品の取り付けを円滑に行うことができ、電子機器の筐体に安定した状態で固定することができる構成部品、該構成部品の取付構造、該構成部品の取付構造を備えた電子機器、及び構成部品の取付方法を提供することを目的とする。
【課題を解決するための手段】
【００１７】
本発明による電子機器の構成部品は、電子機器（例えば、携帯電話機１００）の筐体（例えば、リアケース１３）に取り付けられる構成部品（例えば、固定式アンテナ１１）であって、筐体内部に形成されている被取付部（例えば、ネジボス９によって実現される）に取り付けられる柄状の取付部を有し、取付部は、被取付部における被接触面（例えば、ネジボス面）近傍に取付部における接触面（例えば、ネジ穴面）が位置決めされた状態で、被取付部の形状に対応して形成されている取付部品（例えば、ネジ４）によって取り付けられ、取付部は、位置決めされたときに、被取付部の被接触面に対して平行でない向きとなる第１軸部（例えば、取付部１９の主軸部１９ａによって実現される）と、被取付部の被接触面と略平行となる向きとなる第２軸部（例えば、傾斜形状部１２によって実現される）とを含み、接触面が第２軸部に形成されることを特徴とする。
【００１８】
上記のように構成したことにより、電子機器の筐体に一定の角度を持たせた状態で円滑に取り付けることができ、電子機器の筐体に安定した状態で固定することができる。
【００１９】
また、電子機器の構成部品は、電子機器の筐体に取り付けられる構成部品であって、柄状の取付部を有し、取付部は、構成部品の主要部（例えば、固定式アンテナ１１の放射部３３）につながる第１軸部と、第１軸部につながる第２軸部とを含み、第２軸部の長手方向が第１軸部の長手方向に対して平行でない向きとなることを特徴とする。
【００２０】
また、電子機器の構成部品は、取付部における第２軸部の端部に、丸み形状をなす被誘導部（例えば、傾斜形状部１２の先端部分に角Ｒ１５をつけることによって実現される）が形成され、筐体に取り付けられる際に、筐体内部に形成されている誘導部（例えば、傾斜部３１によって実現される）に被誘導部が摺接することによって取付部が誘導され、筐体内部に形成されている被取付部における被接触面近傍に取付部における接触面が位置決めされるものであってもよい。そのような構成によれば、構成部品を筐体内に挿入して固定位置に位置決めする際に、構成部品の取付部を筐体の誘導部に滑らかに接触させることができ、構成部品が引っかかりにくくすることができるため、構成部品を取り付ける際の作業性を向上させることができる。
【００２１】
また、電子機器の構成部品は、電波の送受信を行う放射部と取付部とを備えるアンテナとして構成され、取付部は、筐体に取り付けられたときに筐体内に配設された基板（例えば、回路基板１７）に設けられている信号伝達部品に接触する信号伝達部（例えば、取付部１９の信号伝達部１９ｂによって実現される）を含むものであってもよい。
【００２２】
また、電子機器の構成部品において、取付部は、金属材料によって一体形成されるものであってもよい。
【００２３】
本発明による構成部品の取付構造は、柄状の取付部を有する構成部品を電子機器の筐体内部に形成されている被取付部に取り付ける構成部品の取付構造であって、被取付部における被接触面近傍に取付部における接触面が位置決めされた状態で、被取付部の形状に対応して形成されている取付部品によって、取付部が被取付部に取り付けられ、取付部は、位置決めされたときに、被取付部の被接触面に対して平行でない向きとなる第１軸部と、被取付部の被接触面と略平行となる向きとなる第２軸部とを含み、接触面が第２軸部に形成されることを特徴とする。
【００２４】
また、構成部品の取付構造は、筐体内部に誘導部が形成され、取付部における第２軸部の端部に、丸み形状をなす被誘導部が形成され、筐体に取り付けられる際に、誘導部に被誘導部が摺接することによって取付部が誘導され、筐体内部に形成されている被取付部における被接触面近傍に取付部における接触面が位置決めされるものであってもよい。そのような構成によれば、構成部品を筐体内に挿入して固定位置に位置決めする際に、構成部品の取付部を筐体の誘導部に滑らかに接触させることができ、構成部品が引っかかりにくくすることができるため、構成部品を取り付ける際の作業性を向上させることができる。
【００２５】
また、構成部品の取付構造は、筐体内部に、丸み形状をなす誘導部が形成され、取付部における第２軸部の端部に被誘導部が形成され、筐体に取り付けられる際に、誘導部に被誘導部が摺接することによって取付部が誘導され、筐体内部に形成されている被取付部における被接触面近傍に取付部における接触面が位置決めされるものであってもよい。そのような構成によれば、構成部品を筐体内に挿入して固定位置に位置決めする際に、構成部品の第２軸部の端部が誘導部の丸み形状に接触するようにすることができ、構成部品の被誘導部を筐体の誘導部に滑らかに接触させることができる。従って、構成部品を取り付ける際の作業性を向上させることができる。
【００２６】
また、構成部品の取付構造は、筐体内部に形成される誘導部（傾斜部３１の端部、あるいはネジボス面の傾斜部３１と接する部分）は、半径０．５ミリメートル乃至１．０ミリメートルの範囲内の丸み形状をなすものであってもよい。
【００２７】
また、構成部品の取付構造において、取付部は、取付部品に加えて、取付部を筐体内に挿入する際の挿入方向に対する位置ずれを防止するための固定部品（例えば、アンテナ固定プレート１４）によって、被取付部に取り付けられ、固定部品は、挿入方向に対して斜めに取り付けられた柄部を有するものであってもよい。そのような構成によれば、構成部品の取付作業を行う作業者が固定部品を持ちやすく、固定部品の取り外しがしやすくなる。従って、構成部品を取り付ける際の作業性をより向上させることができる。
【００２８】
また、構成部品の取付構造は、被取付部が形成されている筐体面（例えば、リアケース１３の面のうちのネジボス９が形成されている面）が被取付部の被接触面に対して平行でない向きとなるように、筐体が形成されているものであってもよい。
【００２９】
また、構成部品の取付構造において、構成部品は、電波の送受信を行う放射部と取付部とを備えるアンテナとして構成され、取付部は、筐体に取り付けられたときに筐体内に配設された基板に設けられている信号伝達部品に接触する信号伝達部を含むものであってもよい。
【００３０】
また、構成部品の取付構造において、電子機器は、例えば、携帯電話機として構成される。
【００３１】
また、本発明による構成部品の取付構造を備えた電子機器は、筐体に取り付けられる構成部品を含む電子機器であって、構成部品は、電子機器の筐体内部に形成されている被取付部に取り付けられる柄状の取付部を有し、取付部は、被取付部における被接触面近傍に取付部における接触面が位置決めされた状態で、被取付部の形状に対応して形成されている取付部品によって取り付けられ、取付部は、位置決めされたときに、被取付部の被接触面に対して平行でない向きとなる第１軸部と、被取付部の被接触面と略平行となる向きとなる第２軸部とを含み、接触面が第２軸部に形成されることを特徴とする。
【００３２】
また、電子機器は、筐体内部に誘導部が形成され、取付部における第２軸部の端部に、丸み形状をなす被誘導部が形成され、筐体に取り付けられる際に、誘導部に被誘導部が摺接することによって取付部が誘導され、筐体内部に形成されている被取付部における被接触面近傍に取付部における接触面が位置決めされるものであってもよい。そのような構成によれば、構成部品を筐体内に挿入して固定位置に位置決めする際に、構成部品の取付部を筐体の誘導部に滑らかに接触させることができ、構成部品が引っかかりにくくすることができるため、構成部品を取り付ける際の作業性を向上させることができる。
【００３３】
また、電子機器は、筐体内部に、丸み形状をなす誘導部が形成され、取付部における第２軸部の端部に被誘導部が形成され、筐体に取り付けられる際に、誘導部に被誘導部が摺接することによって取付部が誘導され、筐体内部に形成されている被取付部における被接触面近傍に取付部における接触面が位置決めされるものであってもよい。そのような構成によれば、構成部品を筐体内に挿入して固定位置に位置決めする際に、構成部品の第２軸部の端部が誘導部の丸み形状に接触するようにすることができ、構成部品の被誘導部を筐体の誘導部に滑らかに接触させることができる。従って、構成部品を取り付ける際の作業性を向上させることができる。
【００３４】
また、電子機器は、筐体内部に形成される誘導部は、半径０．５ミリメートル乃至１．０ミリメートルの範囲内の丸み形状をなすものであることが望ましい。
【００３５】
また、電子機器において、取付部は、取付部品に加えて、取付部を筐体内に挿入する際の挿入方向に対する位置ずれを防止するための固定部品によって、被取付部に取り付けられ、固定部品は、挿入方向に対して斜めに取り付けられた柄部を有するものであってもよい。そのような構成によれば、構成部品の取付作業を行う作業者が固定部品を持ちやすく、固定部品の取り外しがしやすくなる。従って、構成部品を取り付ける際の作業性をより向上させることができる。
【００３６】
また、電子機器は、被取付部が形成されている筐体面が被取付部の被接触面に対して平行でない向きとなるように、筐体が形成されているものであってもよい。
【００３７】
また、電子機器において、構成部品は、電波の送受信を行う放射部と取付部とを備えるアンテナとして構成され、取付部は、筐体に取り付けられたときに筐体内に配設された基板に設けられている信号伝達部品に接触する信号伝達部を含むものであってもよい。
【００３８】
また、電子機器は、例えば、筐体に取り付けられる構成部品を含む携帯電話機として構成される。
【００３９】
本発明による構成部品の取付方法は、柄状の取付部を有する構成部品を電子機器の筐体内部に形成されている被取付部に取り付ける構成部品の取付方法であって、被取付部の被接触面に対して平行でない向きとなる第１軸部と、被取付部の被接触面と略平行となる向きとなる第２軸部とを含む、取付部における接触面が第２軸部に形成されるように、被取付部における被接触面近傍に取付部における接触面を位置決めし、位置決めした状態で、被取付部の形状に対応して形成されている取付部品によって、取付部を被取付部に取り付けることを特徴とする。なお、本発明による構成部品の取付方法では、例えば、電子機器を組み立てる組み立て装置が、構成部品を電子機器の筐体内部に形成されている被取付部に取り付ける。
【００４０】
また、構成部品の取付方法は、筐体内部に誘導部を形成し、取付部における第２軸部の端部に、丸み形状をなす被誘導部を形成し、筐体に取り付ける際に、誘導部に被誘導部を摺接することによって取付部を誘導し、筐体内部に形成されている被取付部における被接触面近傍に取付部における接触面を位置決めするものであってもよい。そのような構成によれば、構成部品を筐体内に挿入して固定位置に位置決めする際に、構成部品の取付部を筐体の誘導部に滑らかに接触させることができ、構成部品が引っかかりにくくすることができるため、構成部品を取り付ける際の作業性を向上させることができる。
【００４１】
また、構成部品の取付方法は、筐体内部に、丸み形状をなす誘導部を形成し、取付部における第２軸部の端部に被誘導部を形成し、筐体に取り付ける際に、誘導部に被誘導部を摺接することによって取付部を誘導し、筐体内部に形成されている被取付部における被接触面近傍に取付部における接触面を位置決めするものであってもよい。そのような構成によれば、構成部品を筐体内に挿入して固定位置に位置決めする際に、構成部品の第２軸部の端部が誘導部の丸み形状に接触するようにすることができ、構成部品の被誘導部を筐体の誘導部に滑らかに接触させることができる。従って、構成部品を取り付ける際の作業性を向上させることができる。
【００４２】
また、構成部品の取付方法は、取付部品に加えて、取付部を筐体内に挿入する際の挿入方向に対して斜めに取り付けられた柄部を有する、挿入方向に対する位置ずれを防止するための固定部品によって、取付部を被取付部に取り付けるものであってもよい。そのような構成によれば、構成部品の取付作業を行う作業者が固定部品を持ちやすく、固定部品の取り外しがしやすくなる。従って、構成部品を取り付ける際の作業性をより向上させることができる。
【発明の効果】
【００４３】
本発明によれば、構成部品の取付部に第１軸部に対して平行でない向きとなる第２軸部を含み、取付部の接触面が第２軸部に形成されている。また、第２軸部は、被取付部の被接触面近傍に取付部の接触面が位置決めされたときに、被接触面と接触面とが略平行となるように形成される。従って、電子機器の筐体に一定の角度を持たせた状態で構成部品が取り付けられる場合に、構成部品側の接触面と筐体側の被接触面との間に傾きが生じることを防止することができ、安定した状態で固定することができないなどの不具合が発生することを防止することができる。このため、構成部品の取り付けを円滑に行うことができる。
【発明を実施するための最良の形態】
【００４４】
実施の形態１．
以下、本発明の第１の実施の形態を図面を参照して説明する。本実施の形態では、電子機器に構成部品を取り付ける場合の例として、無線通信機能を有する電子機器である携帯電話機（本例では、折畳式携帯電話機）に、固定式アンテナを取り付ける場合を説明する。
【００４５】
図１は、本発明の第１の実施の形態におけるアンテナ取付構造を説明するための説明図である。図１には、携帯電話機の筐体に固定式アンテナ１１を取り付けるためのアンテナ取付構造が示されている。
【００４６】
なお、本実施の形態では、折畳式携帯電話機の上側筐体のうち、受話部や表示部のある面を含む部分をフロントケースといい、受話部や表示部のある面とは反対側の面を含む部分をリアケース１３という。本実施の形態では、固定式アンテナ１１を携帯電話機のリアケース１３に取り付ける場合を説明する。
【００４７】
まず、図１を参照して、本実施の形態におけるアンテナ取付構造の概要について説明する。図１に示すように、携帯電話機のリアケース１３には、固定式アンテナ１１を挿入するためのアンテナ挿入穴７と、固定式アンテナ１１をネジ止めするためのネジボス９とが設けられている。
【００４８】
なお、本実施の形態では、リアケース１３には、ネジボス９の他に、固定式アンテナ１１や回路基板、フロントケースなどを取り付けるための複数のネジボス（図示せず）が設けられている。リアケース１３に設けられている各ネジボスは、取付作業の際の作業効率を考慮して、ネジ締めする向きが同じ向きになるように形成されている。本実施の形態では、図１に示すＡ−Ａ断面で切断した面内において、リアケース１３の各ネジボスの向き（ネジ締めする向き）に対して垂直となる方向を、リアケース１３の軸方向という。
【００４９】
本実施の形態では、リアケース１３のアンテナ挿入穴７の挿入方向がリアケース１３の軸方向に対して斜めになるように、アンテナ挿入穴７に一定の角度がつけられている。また、本実施の形態では、ネジボス９において、固定式アンテナ１１を取り付ける際に固定式アンテナ１１と面する部分をネジボス面という。
【００５０】
また、本実施の形態では、図１２及び図１３で示したリアケース５と同様に、アンテナ挿入穴７につけられた角度に応じて、軸方向に対して斜めになるようにリアケース１３が形成されている。すなわち、リアケース１３の面のうちのネジボス９が形成されている面が、ネジボス９のネジボス面に対して平行でない向きとなるように、リアケース１３が形成されている。また、本実施の形態では、図１２及び図１３で示したリアケース５と同様に、リアケース１３は、軸方向に対して斜めになるとともに湾曲された形状に形成されていてもよい。
【００５１】
ここで、リアケース１３への固定式アンテナ１１の取付方法の概要について説明する。固定式アンテナ１１の取付作業は、例えば作業員によって行われる。
【００５２】
まず、図１に示すように、固定式アンテナ１１がリアケース１３のアンテナ挿入穴７に挿入される。アンテナ挿入穴７に挿入されると、固定式アンテナ１１における柄状の取付部（図４参照）が、リアケース１３のネジボス面に接した位置決めされた状態となる。固定式アンテナ１１が位置決めされると、アンテナ固定プレート１４をリアケース１３に取り付けて固定式アンテナ１１を固定する。アンテナ固定プレート１４とは、固定式アンテナ１１の挿入方向に対するガタツキ（位置ずれ）を防止するため、固定式アンテナ１１をリアケース１３に固定するための部品である。
【００５３】
次に、固定式アンテナ１１とリアケース１３とが、ネジ４を用いてネジ締めされる。この場合、リアケース１３のネジボス９近傍に固定式アンテナ１１のネジ穴８が位置決めされた状態で、ネジ４を用いてネジ締めされることによって、固定式アンテナ１１とリアケース１３とが固定される。本実施の形態では、固定式アンテナ１１は、アンテナ固定プレート１４が取り付けられることによってリアケース１３に仮止めされ、ネジ４を用いてネジ締めされることによって、リアケース１３に完全に固定される。
【００５４】
図２は、閉じた状態の折畳式携帯電話機１００の外観構成の例を示す外観図である。図２に示すように、携帯電話機１００を形成する筐体１１０は、ヒンジ部（図示せず）で相互に結合された上側筐体（リアケース１３を含む）１１１と下側筐体１１２とで構成される。ヒンジ部は、上側筐体１１１と下側筐体１１２とを回転自在に結合して携帯電話機１００に折畳可能な構成を付与している。
【００５５】
図３は、携帯電話機１００の構成の例を示すブロック図である。図３に示すように、携帯電話機１００は、電波の送受信を行う固定式アンテナ１１と、制御部１２１と、記憶部１２２と、無線通信部１２３と、操作部１２４と、表示部１２５と、カメラユニット（以下、「カメラ」という。）１２６と、リンガー発生器１２７と、リンガー駆動部１２８と、音声出力用のスピーカ１２９と、音声入力用のマイクロフォン１３０とを備えている。
【００５６】
制御部１２１は、例えばＣＰＵ（中央処理装置）と、図示しない各種の周辺回路とで構成され、携帯電話機１００が備える各部の制御を行う機能を有する。
【００５７】
記憶部１２２は、例えばＲＡＭなどの記憶媒体によって構成され、制御部１２１が実行する制御プログラムなどの各種のデータが格納される。なお、記憶部１２２の一部がＲＯＭによって構成されていてもよく、ＲＯＭ部分に制御プログラムが格納されていてもよい。
【００５８】
無線通信部１２３は、所定の通信プロトコルに従って信号の変復調を行う機能を有する。具体的には、無線通信部１２３は、無線信号を、固定式アンテナ１１を介して受信して復調する処理を行う。また、無線通信部１２３は、制御部１２１から出力された信号を変調し、固定式アンテナ１１を介して無線信号を送信する処理を行う。
【００５９】
操作部１２４は、例えば、電話番号の入力などを行うためのボタンや、カメラ１２６での撮像を指示するためのシャッタなどの入力装置によって構成される。操作部１２４は、ユーザの操作に応じた入力信号を制御部１１に出力する機能を有する。
【００６０】
表示部１２５は、例えばＬＣＤ（Ｌｉｑｕｉｄ  Ｃｒｙｓｔａｌ  Ｄｉｓｐｌａｙ：液晶表示装置）によって構成され、携帯電話機１００の折畳時に筐体１１０の内側となる位置に配設される。表示部１２５には、例えば待ち受け画面や機能設定画面などが表示される。
【００６１】
カメラ１２６は、例えばディジタルカメラが備える各種の機能を有し、被写体を撮像するＣＣＤなどの撮像素子や、撮像によって得た画像データを制御部１２１に出力する回路などを備えている。
【００６２】
リンガー駆動部１２８は、制御部１２１の制御に従ってリンガー発生器１２７に駆動信号を出力する機能を有する。
【００６３】
リンガー発生器１２７は、リンガー駆動部１２８からの駆動信号に従って、着信音を出力する機能を有する。
【００６４】
図４は、固定式アンテナの形状の一例を示す説明図である。本実施の形態では、固定式アンテナ１１において、固定式アンテナ１１をリアケース１３に取り付けた場合にリアケース１３のネジボス９に面する側を背面といい、ネジボス９に面しない側を表面という。図４（ａ）は、固定式アンテナを表面方向から見た平面図である。また、図４（ｂ）は、固定式アンテナを側面方向から見た側面図である。また、図４（ｃ）は、固定式アンテナを背面方向から見た背面図である。
【００６５】
図４（ａ）〜図４（ｃ）に示すように、固定式アンテナ１１は、電波の送受信を行う放射部３３と、リアケース１３に取り付けられる柄状の取付部１９とを含む。取付部１９は、固定式アンテナ１１とリアケース１３とをネジ締めする際にネジ４を挿入するネジ穴８を含む。また、取付部１９は、アンテナ固定プレート１４を取り付けるための溝部３０を含む。なお、本実施の形態では、ネジ穴８を含む面のうち、ネジ締めする際にリアケース１３のネジボス面と面する側をネジ穴面という。
【００６６】
図４（ｄ）は、固定式アンテナの取付部を拡大して示した説明図である。図４（ｄ）は、図４（ｂ）に示す側面図のＸ部分を拡大したものに相当する。また、図４（ｅ）は、図４（ａ）から図４（ｄ）に示す固定式アンテナの斜視図である。
【００６７】
図４（ｄ）及び図４（ｅ）に示すように、固定式アンテナ１１は、長手方向が取付部１９の主軸方向（図４（ｄ）に示すＹ方向）に対して斜めになるような形状をもつ傾斜形状部１２を有する。なお、「長手方向」とは、柄状や棒状の部材の長い方の方向をいう。また、図４（ｄ）及び図４（ｅ）に示すように、傾斜形状部１２は、ネジ穴面を含む。また、図４（ｄ）及び図４（ｅ）に示すように、傾斜形状部１２には、ネジ穴８が形成されている。
【００６８】
なお、本実施の形態では、取付部１９のうち、固定式アンテナ１１の主要部である放射部３３につながる部分１９ａを主軸部という。すなわち、本実施の形態では、取付部１９は、固定式アンテナ１１の主要部である放射部３３につながる主軸部１９ａと、主軸部１９ａにつながる傾斜形状部１２とを含む。そして、傾斜形状部１２の長手方向が主軸部１９ａの長手方向に平行でない向きとなるように、取付部１９が形成されている。また、取付部１９の先端部分１９ｂは、図１４で示したように、回路基板１７に設けられた信号伝達部品１８に接触する。そして、取付部１９は、回路基板１７からの信号を放射部３３に伝達する給電部として機能する。本実施の形態では、回路基板１７の信号伝達部品１８に接触する取付部１９の先端部分１９ｂを信号伝達部ともいう。
【００６９】
本実施の形態では、固定式アンテナ１１の取付部１９は、金型成形によって一体形成される。例えば、取付部１９は、マグネシウム合金や亜鉛合金など金属材料を用いて、金型成形によって製作される。この場合、ネジ穴８の周辺部分が取付部１９の主軸方向に対して斜めになるように金型成形されることによって、傾斜形状部１２が一体成形される。
【００７０】
図５は、アンテナ固定プレート１４を示す斜視図である。アンテナ固定プレート１４は、比較的小さい荷重で弾性変形可能な合成樹脂を用いて作製された部品である。図５に示すように、アンテナ固定プレート１４は、固定式アンテナ１１をリアケース１３に固定する際に、固定式アンテナ１１の溝部３０に嵌め込むための嵌入部１４ａを含む。
【００７１】
出願人は、特願２００４−１５０８００において部品留め具を用いることによって、構成部品を取り付ける際の作業性を向上させることを提案している。本実施の形態では、後述するように、固定式アンテナ１１をアンテナ挿入穴７に挿入した後に、部品留め具であるアンテナ固定プレート１４の嵌入部１４ａを、固定式アンテナ１１の溝部３０に嵌め込むことによって、固定式アンテナ１１を固定する。
【００７２】
また、アンテナ固定プレート１４は、固定式アンテナ１１の取付作業を行う作業員が手でつまむための柄部１４ｂを含む。本実施の形態では、図５に示すように、アンテナ固定プレート１４は、固定式アンテナ１１の挿入方向に対して斜めになるように柄部１４ｂが形成されている。
【００７３】
柄部１４ｂが斜めに形成されていることによって、斜めに取り付けられる固定式アンテナ１１の取付作業や取外し作業を行う作業者がアンテナ固定プレート１４を持ちやすくなる。また、柄部１４ｂが斜めに形成されていることで、修理・解体時にアンテナ固定プレート１４の取り外しがしやすくなる。
例えば、柄部１４ｂが斜めに形成されているため、作業者が柄部１４ｂに指や爪を引っ掛けることができ、小さい部品であるアンテナ固定プレート１４を容易に取り外すことができる。従って、固定式アンテナ１１を取り外しする際の作業性をより向上させることができる。
【００７４】
次に、固定式アンテナ１１をリアケース１３に取り付ける取付方法を説明する。図６は、固定式アンテナをリアケースのアンテナ挿入穴に挿入する場合の挿入経過の一例を示す説明図である。図６（ａ）は、固定式アンテナをアンテナ挿入穴７に挿入する直前の状態を示す図である。また、図６（ｂ）及び図６（ｃ）は、固定式アンテナをアンテナ挿入穴７に挿入している途中の状態を示す図である。また、図６（ｄ）は、固定式アンテナをアンテナ挿入穴７に挿入し終えた状態を示す図である。なお、図６は、図１における固定式アンテナ１１及びリアケース１３のＡ−Ａ断面（アンテナ挿入穴７の中心を通る面）を示す断面図に相当する。
【００７５】
図６に示すように、リアケース１３には、固定式アンテナ１１を挿入する際に固定式アンテナ１１の挿入方向をガイド（誘導）するための傾斜部３１が設けられている。また、図６（ａ）に示すように、固定式アンテナ１１の挿入方向がリアケース１３の軸方向（図６（ａ）に示すＢ方向）に対して斜めになるように、リアケース１３のアンテナ挿入穴７に一定の角度６がつけられている。
【００７６】
なお、軽量化等を図るため、傾斜部３１にはスリットが設けられている。そのため、リアケース１３をＡ−Ａ断面で切断すると、スリット部分に該当しＡ−Ａ断面内においては見かけ上傾斜部３１が含まれない状態となる。そのため、図６では、傾斜部３１を破線で表現している。また、Ａ−Ａ断面内ではネジ穴８の空洞部分に該当するので、図６では、傾斜形状部１２のネジ穴８部分を破線で表現している。
【００７７】
まず、図６（ａ）に示すように、固定式アンテナ１１のアンテナ挿入穴７への挿入を開始する。すると、図６（ｂ）に示すように、固定式アンテナ１１の取付部１９がリアケース１３の傾斜部３１にあたる。そして、取付部１９は、図６（ｃ）に示すように、傾斜部３１によって固定式アンテナ１１の表面方向（図６（ｃ）に示すＺ方向）にガイドされる。この場合、図６（ｂ）及び図６（ｃ）に示すように、取付部１９に設けられた傾斜形状部１２の先端部分１２ｂが傾斜部３１に摺接することによって、取付部１９の挿入方向が誘導される。なお、「摺接」とは、傾斜形状部１２の先端部分１２ｂが傾斜部３１に滑る状態で接していることをいう。
【００７８】
挿入が完了すると、図６（ｄ）に示すように、固定式アンテナ１１のネジ穴８とリアケース１３のネジボス９との位置が合い、固定式アンテナ１１のネジ穴面とリアケース１３のネジボス面とが位置決めされた状態となる。
【００７９】
固定式アンテナ１１の挿入が完了しネジ穴面とネジボス面とが位置決めされた状態となると、アンテナ固定プレート１４が固定式アンテナ１１の溝部３０に取り付けられる。この場合、アンテナ固定プレート１４の嵌入部１４ａを固定式アンテナ１１の溝部３０に嵌め込むことによって、アンテナ固定プレート１４が取り付けられる。そして、ネジ４を固定式アンテナ１１のネジ穴８に挿入してネジ締めすることによって、固定式アンテナ１１がリアケース１３に固定される。
【００８０】
図７は、固定式アンテナ１１の取り付けを完了した状態のリアケース１３の断面Ａ−Ａを示す断面図である。図７に示すように、本実施の形態では、ネジ穴面とネジボス面とが位置決めされ固定された状態で、固定式アンテナ１１の取付部１９の主軸方向がネジボス面に対して平行でない向きとなる。しかし、固定式アンテナ１１の取付部１９がネジ穴８の周辺部分に傾斜形状部１２を含むことによって、固定式アンテナ１１のネジ穴面とリアケース１３のネジボス面とは、ほぼ平行な状態で接触する。
【００８１】
以上に説明したように、本実施の形態によれば、固定式アンテナ１１は、取付部１９のネジ穴８の周辺部分に、取付部１９の主軸部に対して平行でない向きとなる傾斜形状部１２を含む。傾斜形状部１２を有することによって、固定式アンテナ１１をリアケース１３に取り付けた場合にネジ穴面とネジボス面とがほぼ平行となり、ネジ穴面とネジボス面との間に隙間が生じなくなる。ネジ穴面とネジボス面とが平行になる構造としたので、ネジ穴面とネジボス面とに傾きが生じることを防止することができ、安定した状態で固定することができる。このため、構成部品の取り付けを円滑に行うことができる。
【００８２】
すなわち、本実施の形態によれば、角度６のついたリアケース１３のアンテナ挿入穴７に固定式アンテナ１１を挿入した場合に、リアケース１３のネジボス面と固定式アンテナ１１のネジ穴面とが平行となり、ネジ締め時にネジ穴面とネジボス面との間で傾き不具合が発生するのを解消できる。従って、リアケース１３のアンテナ挿入穴７に一定の角度６が付けられている場合に、固定式アンテナ１１のネジ穴面とリアケース１３のネジボス面との間に傾きが生じることを防止することができ、固定式アンテナ１１を取り付けるためのネジ締めを円滑に行えるようにすることができるとともに、固定式アンテナ１１を安定した状態でリアケース１３に固定することができる。
【００８３】
また、本実施の形態によれば、アンテナ挿入穴７につけられた角度６に応じてリアケース１３が斜めになるように形成されていたり湾曲された形状に形成されていても、ネジ４を軸方向に対して垂直にになるようにネジボス９に挿入することができる。従って、リアケース１３の外形にかかわらず、ネジ４をネジボス面に対して垂直に挿入することができ、固定式アンテナ１１の取り付けを円滑に行うことができる。また、安定した状態で固定することができるので、回路基板１７に設けられた信号伝達部品１８と固定式アンテナ１１の信号伝達部１９ｂとの接触圧を安定化させることができる。
【００８４】
なお、本実施の形態では、固定式アンテナ１１が傾斜形状部１２を含む場合を説明したが、リアケース１３のネジボス９側に傾斜形状を設けてもよい。ネジボス９部分が、例えばインサートナットのように金属を含む形状の加工が困難な構造とされている場合でなく、例えばタッピングネジを用いたネジ締め構造のような加工が可能な構造とされている場合には、ネジボス９のネジボス面を斜めに形成するようにしてもよい。
【００８５】
図８は、ネジボス９に傾斜形状を設けた場合に、固定式アンテナ１１をリアケース１３に取り付けた状態を示す断面図である。図８に示すように、リアケース１３は、ネジボス９にネジボス面が斜めになるように形成された傾斜形状部９ａを含む。図８に示すように、ネジボス９が傾斜形状部９ａを含むことによって、固定式アンテナ１１のネジ穴面とリアケース１３のネジボス面とが平行な状態で接触し、ネジ穴面とネジボス面との隙間がなくなる。従って、ネジ穴面とネジボス面とに傾きが生じることを防止することができ、固定式アンテナ１１を取り付けるためのネジ締めを円滑に行うことができるようになる。
【００８６】
ただし、ネジボス９に傾斜形状部９ａを設けた場合、固定式アンテナ１１をリアケース１３にネジ締めすると、ネジ４とリアケース１３の取付部１９との間に隙間３２が生じる。そのため、固定式アンテナ１１に傾斜形状部１２を設ける場合とリアケース１３に傾斜形状部９ａを設ける場合とを比較すると、固定式アンテナ１１に傾斜形状部１２を設ける場合の方が、固定式アンテナ１１を取り付けるためのネジ締めをより円滑に行うことができる。また、固定式アンテナ１１に傾斜形状部１２を設ける場合の方が、回路基板１７に設けられた信号伝達部品１８と固定式アンテナ１１の信号伝達部１９ｂとの接触圧をより安定させることができる。
【００８７】
実施の形態２．
次に、本発明の第２の実施の形態を図面を参照して説明する。図９は、固定式アンテナの形状の他の例を示す説明図である。図９（ａ）は、固定式アンテナを側面方向から見た側面図である。また、図９（ｂ）は、固定式アンテナの取付部を拡大して示した説明図である。図９（ｂ）は、図９（ａ）に示す側面図のＳ部分を拡大したものに相当する。
【００８８】
本実施の形態では、固定式アンテナ１１ａの傾斜形状部１２ａの先端部（固定式アンテナ１１ａをアンテナ挿入穴７に挿入した場合にリアケース１３の傾斜部３１にあたる部分）に丸み（以下、角Ｒという）１５がつけられている。なお、角Ｒ１５は、固定式アンテナ１１ａの取付部１９を製作する際に、傾斜形状部１２ａの先端部が丸みを帯びるように金型成形されることによって形成される。
【００８９】
図１０は、第２の実施の形態における固定式アンテナをリアケースのアンテナ挿入穴に挿入する場合の挿入経過の例を示す説明図である。図１０（ａ）は、固定式アンテナをアンテナ挿入穴７に挿入する直前の状態を示す図である。また、図１０（ｂ）及び図１０（ｃ）は、固定式アンテナをアンテナ挿入穴７に挿入している途中の状態を示す図である。また、図１０（ｄ）は、固定式アンテナをアンテナ挿入穴７に挿入し終えた状態を示す図である。なお、図６と同様の理由により、図１０では、傾斜部３１及び傾斜形状部１２ａのネジ穴８部分を破線で表現している。
【００９０】
まず、図１０（ａ）に示すように、固定式アンテナ１１ａのアンテナ挿入穴７への挿入を開始する。すると、図１０（ｂ）に示すように、固定式アンテナ１１ａの取付部の角Ｒ１５がリアケース１３の傾斜部３１にあたる。そして、角Ｒ１５が傾斜部３１に摺接することによって、固定式アンテナ１１ａの取付部は、図１０（ｃ）に示すように、固定式アンテナ１１ａの表面方向（図１０（ｃ）に示すＺ方向）にガイドされる。
【００９１】
挿入が完了すると、図１０（ｄ）に示すように、固定式アンテナ１１ａのネジ穴８とリアケース１３のネジボス９との位置が合い、固定式アンテナ１１のネジ穴面とリアケース１３のネジボス面とが位置決めされた状態となる。
【００９２】
以上のように、本実施の形態によれば、固定式アンテナ１１ａに角Ｒ１５をつけることによって、固定式アンテナ１１ａをアンテナ挿入穴７に挿入する際に、固定式アンテナ１１ａがリアケース１３の傾斜部３１によってスムーズにガイドされる。そのため、固定式アンテナ１１ａをアンテナ挿入穴７に挿入する際に、固定式アンテナ１１ａが引っかかりにくくなり、固定式アンテナ１１ａをアンテナ挿入穴７に入れやすくなる。従って、傾斜形状部１２ａの先端部に角Ｒ１５をつけることにより、固定式アンテナ１１ａ挿入時にリアケース１３のネジボス部の傾斜部３１に滑らかにあてることで、固定式アンテナ１１ａを取り付ける際の作業性を向上させることができる。
【００９３】
なお、本実施の形態では、固定式アンテナ１１ａ側に角Ｒ１５を設ける場合を説明したが、リアケース１３の傾斜部３１側に角Ｒを設けてもよい。そのようにすれば、固定式アンテナ１１をアンテナ挿入穴７に挿入した場合に、固定式アンテナ１１の傾斜形状部１２の先端部１２ｂが傾斜部３１の角Ｒに摺接することによって、固定式アンテナ１１を傾斜部３１に滑らかにあてることができる。
【００９４】
この場合、傾斜部３１の終端部分（傾斜形状をなす部分と、ネジボス面と接する面との境界部分）に角Ｒをつけることによって、固定式アンテナ１１をアンテナ挿入穴７に挿入する際に、固定式アンテナ１１ａが引っかかりにくくなり、固定式アンテナ１１をアンテナ挿入穴７に挿入しやすくなる。従って、固定式アンテナ１１ａ側に角Ｒ１５を設ける場合と同様に、固定式アンテナ１１を取り付ける際の作業性を向上させることができる。なお、固定式アンテナ１１の傾斜形状部１２の先端部１２ｂと、リアケース１３の傾斜部３１との両方に、角Ｒを設けるようにしてもよい。
【００９５】
また、傾斜部３１の終端部分が、ネジボス面に接する面を有しない構成とされている場合、すなわち、傾斜部３１の傾斜形状をなす部分の終端がネジボス面の外輪と接する形状とされている場合には、ネジボス面に角Ｒを形成するようにしてもよい。なお、インサートナットによるネジ締め構造が採用されている場合には、ネジボス９が、合成樹脂などのプラスチックで形成された円筒形の内輪側に、ネジ溝を有する円筒形の金属部材が嵌め込まれた構造とされるため、外輪側に形成されているプラスチック部分に角Ｒを形成するようにすればよい。ネジボス面における上記のような角Ｒが形成された部分が、傾斜部３１とともに「誘導部」を形成する。
【００９６】
この場合、ネジボス面において外輪側に形成されているプラスチック部分が有する幅の範囲内で、かつ固定式アンテナ１１の円滑な挿入が実現できるように、ネジボス面に形成する角Ｒを、半径０．５ｍｍ〜１．０ｍｍの範囲内で形成することが望ましい。このように、ネジボス面に角Ｒを形成するようにした場合であっても、固定式アンテナ１１をアンテナ挿入穴７に挿入する際に、固定式アンテナ１１ａが引っかかりにくくなり、固定式アンテナ１１をアンテナ挿入穴７に挿入しやすくなる。
【００９７】
また、第１の実施の形態及び第２の実施の形態では、固定式アンテナ１１，１１ａを携帯電話機に取り付ける場合を説明したが、本発明は、携帯情報端末（ＰＤＡ：Ｐｅｒｓｏｎａｌ  Ｄｉｇｉｔａｌ  Ａｓｓｉｓｔａｎｔｓ）などの携帯電話機以外の電子機器に構成部品を取り付ける場合にも適用できる。また、構成部品は、固定式アンテナに限らず、電子機器の筐体に斜めに取り付けられる他の部品であってもよい。例えば、本発明は、所定の電気的機能を備えた玩具の筐体に、所定の構成部品を斜めに取り付ける場合にも適用可能である。
【００９８】
また、上述した実施の形態では、折畳式の携帯電話機を例に説明したが、折畳式でない携帯電話機に適用することができることは勿論である。
【００９９】
また、上述した実施の形態では、作業員が固定式アンテナの取り付け作業を行うものとして説明したが、携帯電話機を組み立てる組み立て装置によって、固定式アンテナがリアケースに取り付けられてもよい。例えば、組み立て装置として、携帯電話機を組み立てるための制御プログラムを搭載したロボット等が考えられる。
【産業上の利用可能性】
【０１００】
本発明は、無線通信機能を有する携帯電話機や、簡易型携帯電話端末（ＰＨＳ：Ｐｅｒｓｏｎａｌ  Ｈａｎｄｙｐｈｏｎｅ  Ｓｙｓｔｅｍ）、携帯情報端末（ＰＤＡ）などの電子機器に適用できる。特に、本発明は、固定式アンテナなどの構成部品を電子機器の筐体に斜めに取り付ける用途に適用できる。
【図面の簡単な説明】
【０１０１】
【図１】本発明の第１の実施の形態におけるアンテナ取付構造を説明するための説明図である。
【図２】固定式アンテナが取り付けられた携帯電話機の外観構成の例を示す外観図である。
【図３】携帯電話機の構成の例を示すブロック図である。
【図４】固定式アンテナの形状の一例を示す説明図である。
【図５】アンテナ固定プレート１４を示す斜視図である。
【図６】本発明の第１の実施の形態における固定式アンテナをリアケースのアンテナ挿入穴に挿入する場合の挿入経過の例を示す説明図である。
【図７】図１において、固定式アンテナ１１の取り付けを完了した状態のリアケース１３の断面Ａ−Ａを示す断面図である。
【図８】ネジボス９に傾斜形状を設けた場合に、固定式アンテナ１１をリアケース１３に取り付けた状態を示す断面図である。
【図９】本発明の第２の実施の形態における固定式アンテナの形状の例を示す説明図である。
【図１０】本発明の第２の実施の形態における固定式アンテナをリアケースのアンテナ挿入穴に挿入する場合の挿入経過の例を示す説明図である。
【図１１】電子機器の筐体に固定式アンテナ１を取り付けるアンテナ取付構造を説明するための説明図である。
【図１２】リアケース５のアンテナ挿入穴７に、固定式アンテナ１を挿入する直前の状態を示した説明図である。
【図１３】リアケース５のアンテナ挿入穴７に、固定式アンテナ１を挿入した後の状態を示した説明図である。
【図１４】固定式アンテナ１と回路基板１７との接触状態を説明するための説明図である。
【符号の説明】
【０１０２】
１  固定式アンテナ
２，１３  リアケース
３，７  アンテナ挿入穴
４  ネジ
６  角度
８  ネジ穴
９  ネジボス
１０  隙間
９ａ  傾斜形状部
１１，１１ａ  固定式アンテナ
１２，１２ａ  傾斜形状部
１４  アンテナ固定プレート
１５  角Ｒ
１７  回路基板
１８  信号伝達部品
１９  取付部
１９ａ  主軸部
１９ｂ  信号伝達部
３０  溝部
３１  傾斜部
１００  携帯電話機
１１０  筐体
１１１  上側筐体
１１２  下側筐体
１２１  制御部
１２２  記憶部
１２３  無線通信部
１２４  操作部
１２５  表示部
１２６  カメラ
１２７  リンガー発生器
１２８  リンガー駆動部
１２９  スピーカ
１３０  マイクロフォン
【図１】
2006109204.tif 000003
【図２】
2006109204.tif 000004
【図３】
2006109204.tif 000005
【図４】
2006109204.tif 000006
【図５】
2006109204.tif 000007
【図６】
2006109204.tif 000008
【図７】
2006109204.tif 000009
【図８】
2006109204.tif 000010
【図９】
2006109204.tif 000011
【図１０】
2006109204.tif 000012
【図１１】
2006109204.tif 000013
【図１２】
2006109204.tif 000014
【図１３】
2006109204.tif 000015
【図１４】
2006109204.tif 000016